(57)【要約】      （修正有）【課題】電子製品に対して充電が可能な充電装置付きのスーツケースを提供する。【解決手段】スーツケースの背面中部の二つのバーの間に充電装置が設けられ、充電装置は、全体が長方形であり、上から下の順にポータブル電子製品充電用の外接続部３と、多国対応の電源変換プラグを保管する電源変換プラグ室４と、モバイル電源及び携帯電話を保管する主保管部と、電源プラグを保管する配線収納部分の部位８に分けられ主保管部は、内側と外側の二層の収容空間に分けられ、内側の収容空間がモバイル電源収容空間であり、外側の収容空間が携帯電話収容空間５であり、電源収容空間と携帯電話収容空間が充電ハーネスで接続され、内側の収容空間の外部に、ハーネスを保管するハーネス空間が設けられ、ハーネス空間内のハーネスが外接続部３に接続されて、配線収納部分の部位８内の配線が電源収容空間内のモバイル電源に接続される。【選択図】図１
0003216624.tif 000002
【実用新案登録請求の範囲】
【請求項１】
スーツケースの背面の中部において、二つのバーの間の位置に充電装置が設けられ、
前記充電装置は、全体が長方形の構造であり、上から下の順に、ポータブル電子製品の充電用の充電外接続部（３）と、多国対応の電源変換プラグを保管する電源変換プラグ室（４）と、モバイル電源及び携帯電話を保管する主保管部と、電源プラグを保管する配線収納部分の部位（３）に分けられており、
モバイル電源及び携帯電話を保管する前記主保管部は、
内側と外側の二層の収容空間に分けられて、内側の収容空間がモバイル電源収容空間であり、外側の収容空間が携帯電話収容空間（５）であり、前記電源収容空間（６）と携帯電話収容空間（５）が充電ハーネスで接続されており、
前記内側の収容空間の外部に、ハーネスを保管するハーネス空間（７）が設けられており、
前記ハーネス空間（７）内のハーネスが充電外接続部（３）に接続されており、
前記配線収納部分の部位（８）内の配線が電源収容空間（６）内のモバイル電源に接続される、ことを特徴とする充電装置付きのスーツケース。
【請求項２】
配線は前記配線収納部分の部位（８）内に巻かれており、配線収納部分の部位（８）は開口（８ａ）を有し、開口の大きは配線のプラグに適合し、配線は開口（８ａ）から引き出されるとともに、電動復帰機構により自動で巻き入れられて復帰することができる、ことを特徴とする請求項１に記載の充電装置付きのスーツケース。
【請求項３】
前記電源変換プラグ室（４）は、反転開閉式の構造である、ことを特徴とする請求項１に記載の充電装置付きのスーツケース。
【請求項４】
前記電源収容空間（６）内のモバイル電源は、取外し可能な形式である、ことを特徴とする請求項１に記載の充電装置付きのスーツケース。
【請求項５】
前記電源収容空間（６）内のモバイル電源は、取外し不可能な形式である、ことを特徴とする請求項１に記載の充電装置付きのスーツケース。
【請求項６】
前記モバイル電源収容空間（６）と携帯電話収容空間（５）の間に仕切りが設けられる、ことを特徴とする請求項１に記載の充電装置付きのスーツケース。
【請求項７】
前記モバイル電源収容空間（６）と携帯電話収容空間（５）の間に仕切りが設けられない、ことを特徴とする請求項１に記載の充電装置付きのスーツケース。
【請求項８】
前記携帯電話収容空間（５）の収容空間のドアは、ヒンジ反転式開閉構造である、ことを特徴とする請求項１に記載の充電装置付きのスーツケース。
【請求項９】
前記携帯電話収容空間（５）の収容空間のドアは、スライド開閉式構造である、ことを特徴とする請求項１に記載の充電装置付きのスーツケース。
【請求項１０】
前記スーツケースの背面の中部に充電装置が設けられ、且つ前記充電装置は二つのバーの間に位置し、前記充電装置は、全体が長方形の構造であり、前記充電装置は、上から下の順にポータブル電子製品の充電のための充電外接続部（３）と、多国対応の電源変換プラグを保管する電源変換プラグ室（４）と、モバイル電源及び携帯電話を保管する主保管部と、電源プラグを保管する配線収納部分の部位（８）を含み、
モバイル電源及び携帯電話を保管する前記主保管部は、内側と外側の二層の収容空間に分けられており、内側の収容空間がモバイル電源収容空間であり、外側の収容空間が携帯電話収容空間（５）であり、前記モバイル電源収容空間が前記携帯電話収容空間の背面に設けられ、前記電源収容空間の底部と前記携帯電話収容空間の底部の間が充電ハーネスで接続されており、
前記モバイル電源収容空間の背面に、ハーネスを保管するハーネス空間（７）が設けられ、且つ前記ハーネス空間（７）が前記充電外接続部（３）の背面に延ばされており、前記ハーネス空間（７）内のハーネスが、前記モバイル電源と充電外接続部（３）が接続され、前記配線収納部分の部位（８）内の配線が電源収容空間（６）内のモバイル電源に接続される、ことを特徴とする充電装置付きのスーツケース。
【請求項１１】
前記ハーネス空間（７）内のハーネスは、一方端が前記充電ハーネスに接続されて、他方端が充電外接続部（３）に接続される、ことを特徴とする請求項１０に記載の充電装置付きのスーツケース。
【考案の詳細な説明】
【技術分野】
【０００１】
本考案は、スーツケースに関し、特に充電装置付きのスーツケースに関し、スーツケースの技術分野に属する。
【背景技術】
【０００２】
スーツケースは、便利であることや、力をかけずに済むといった利点を有するため、現在、人々の旅行において必要な手段になっている。人々が利用する携帯電話やタブレットなどの電子製品の増加にしたがって、旅行中に電子製品の充電を使い尽くしてしまう状況がよく発生するようになっており、モバイルバッテリなどのモバイル電源があっても、旅行中の人々にとっては、その使用はまだまだ不便である。
【考案の概要】
【考案が解決しようとする課題】
【０００３】
本考案の目的は、最適化されたデザインによって、蓄電と電子製品に対する充電の機能を備えるスーツケースを提供することであり、旅行中の人々が携帯電話やタブレットなどの電子製品を充電するのに便利なものとするものである。
【０００４】
本考案は、以下のような技術方案を採用する。
【０００５】
充電装置付きのスーツケースであって、前記スーツケースの背面の中部において二つのバーの間の位置に充電装置が設けられ、前記充電装置は、全体が長方形の構造であり、上から下の順にポータブル電子製品の充電用の充電外接続部（３）と、多国対応の電源変換プラグを保管する電源変換プラグ室（４）と、モバイル電源及び携帯電話を保管する主保管部と、電源プラグを保管する配線収納部分の部位（３）に分けられており、
モバイル電源及び携帯電話を保管する前記主保管部は、内側と外側の二層の収容空間に分けられて、内側の収容空間がモバイル電源収容空間であり、外側の収容空間が携帯電話収容空間（５）であり、前記電源収容空間（６）と携帯電話収容空間（５）が充電ハーネスで接続されており、
前記内側の収容空間の外部に、ハーネスを保管するハーネス空間（７）が設けられており、
前記ハーネス空間（７）内のハーネスが充電外接続部（３）に接続されており、
前記配線収納部分の部位（８）内の配線が電源収容空間（６）内のモバイル電源に接続される。
【０００６】
スーツケースを持って旅行に行く前に、配線収納部分の部位（８）内の電源プラグを直接引き出し、電源に挿し込むことにより、電源収容空間（６）内のモバイル電源を充電することができる。旅行の時に携帯電話を充電する必要がある場合には、携帯電話を携帯電話収容空間（５）内に直接入れて、携帯電話を充電することができる。タブレットなどの電子製品を充電する場合には、充電外接続部（３）の接続口（例えば、USB接続口）を通じて充電することができる。電源変換プラグ室（４）は、各国の電源変換プラグを保管するために用いられるものであり、海外旅行に便利である。
【０００７】
さらに、配線は前記配線収納部分の部位（８）内に巻かれており、配線収納部分の部位（８）は開口（８ａ）を有し、開口の大きは配線のプラグに適合し、配線は開口（８ａ）から引き出されるとともに、電動復帰機構により自動で巻き入れられて復帰することができる。
【０００８】
さらに、前記電源変換プラグ室（４）は、反転開閉式の構造である。
【０００９】
さらに、前記電源収容空間（６）内のモバイル電源は、取外し可能な形式である。
【００１０】
さらに、前記電源収容空間（６）内のモバイル電源は、取外し不可能な形式である。
【００１１】
さらに、前記モバイル電源収容空間（６）と携帯電話収容空間（５）の間に仕切りが設けられる。
【００１２】
さらに、前記モバイル電源収容空間（６）と携帯電話収容空間（５）の間に仕切りが設けられない。
【００１３】
さらに、前記携帯電話収容空間（５）の収容空間のドアは、ヒンジ反転式開閉構造である。
【００１４】
さらに、前記携帯電話収容空間（５）の収容空間のドアは、スライド開閉式構造である。
【００１５】
充電装置付きのスーツケースであって、
前記スーツケースの背面の中部に充電装置が設けられ、且つ前記充電装置は二つのバーの間に位置し、前記充電装置は、全体が長方形の構造であり、前記充電装置は、上から下の順にポータブル電子製品の充電のための充電外接続部（３）と、多国対応の電源変換プラグを保管する電源変換プラグ室（４）と、モバイル電源及び携帯電話を保管する主保管部と、電源プラグを保管する配線収納部分の部位（８）を含み、
モバイル電源及び携帯電話を保管する前記主保管部は、内側と外側の二層の収容空間に分けられており、内側の収容空間がモバイル電源収容空間であり、外側の収容空間が携帯電話収容空間（５）であり、前記モバイル電源収容空間が前記携帯電話収容空間の背面に設けられ、前記電源収容空間の底部と前記携帯電話収容空間の底部の間が充電ハーネスで接続されており、
前記モバイル電源収容空間の背面に、ハーネスを保管するハーネス空間（７）が設けられ、且つ前記ハーネス空間（７）が前記充電外接続部（３）の背面に延ばされており、前記ハーネス空間（７）内のハーネスが、前記モバイル電源と充電外接続部（３）が接続され、前記配線収納部分の部位（８）内の配線が電源収容空間（６）内のモバイル電源に接続される、ようなことを特徴とする。
【００１６】
さらに、前記ハーネス空間（７）内のハーネスは、一方端が前記充電ハーネスに接続されて、他方端が充電外接続部（３）に接続される。
【考案の効果】
【００１７】
本考案の有益な効果は、以下である。
（１）本考案が提供する充電装置付きのスーツケースは、スーツケースに充電装置を設けることで、スーツケースについて旅行で用いる電子製品の保管と充電の機能の一体化を提供するものである。充電装置は、携帯電話などのほかの様々な電子製品を充電することができ、充電装置に多国対応の電源変換プラグを保管する電源変換プラグ室が設けられることで、スーツケースの使用範囲を広くさせることができる。
【００１８】
（２）本考案が提供する充電装置付きのスーツケースは、モバイル電源収容空間と携帯電話収容空間を接続する充電ハーネスを底部に設計するとともに、モバイル電源収容空間の背面に、モバイル電源とハーネスを置いて接続するハーネス空間が設けられることにより、充電装置内の各配線の合理的なレイアウトが実現され、構造の設計が巧みであり、且つ専用空間が少ないものとなる。
【００１９】
（３）本考案が提供する充電装置付きのスーツケースは、スーツケースの二つのバーの間の部位を合理的に利用することで、占用する空間を節約することができ、且つ各構成部分のレイアウトが合理的であることで、スーツケースの美しい外形に影響を与えることがない。
【００２０】
（４）本考案が提供する充電装置付きのスーツケースは、抜かりなく考えられたものであり、優れた使用体験を実現する。
【図面の簡単な説明】
【００２１】
図面を参照しつつ、以下の詳細な説明により、本考案の上述した特徴及び利点、そのほかの特徴及び利点をより明確に理解することができる。
【図１】本考案に係る充電装置付きのスーツケースの背面の概略図である。
【図２】充電装置の正面図である。
【図３】充電装置の右断面図である。
【図４】充電装置の立体図である。
【図５】携帯電話収容空間のドアを開いた際の充電装置の正面図である。
【図６】モバイル電源収容空間のドアを開いた際の充電装置の正面図である。
【図７】携帯電話収容空間のドアを開いた際の充電装置の立体図である。
【図８】モバイル電源収容空間のドアを開いた際の充電装置の立体図である。
【図９】各収容空間のドアを開いた際の充電装置の右側面図である。
【符号の説明】
【００２２】
１・・・スーツケース
２・・・バー
３・・・充電外接続部
４・・・電源変換プラグ室
５・・・携帯電話収容空間
６・・・モバイル電源収容空間
７・・・ハーネス空間
８・・・配線収納部分の部位
９・・・充電ハーネス
１０・・・ハーネス
１１，１２・・・収容空間のドア
【考案を実施するための形態】
【００２３】
当該考案の実施例の図面を参照して、以下により詳しく当該考案を説明する。ただし、当該考案は、多くの異なる形態で実現することができ、また、ここで開示する実施例に限られるものと解釈されることはない。逆に、これらの実施例の開示は、十分で完全な開示を達成するためのものであり、また、当業者であれば、十分に当該考案の範囲を了解することができる。これらの図面において、より明確にするために、層と領域の寸法、及び、相対寸法が拡大され得る。
【００２４】
図１−８に示すように、充電装置付きのスーツケースはり、前記スーツケースの背面の中部において二つのバーの間の位置に充電装置が設けられ、前記充電装置は、全体が長方形の構造であり、上から下の順に、ポータブル電子製品の充電用の充電外接続部３と、多国対応の電源変換プラグを保管する電源変換プラグ室４と、モバイル電源及び携帯電話を保管する主保管部と、電源プラグを保管する配線収納部分の部位８に分けられており、モバイル電源及び携帯電話を保管する前記主保管部は、内側と外側の二層の収容空間に分けられており、内側の収容空間がモバイル電源収容空間６であり、外側の収容空間が携帯電話収容空間５であり、前記電源収容空間６と携帯電話収容空間５が充電ハーネスで接続されており、前記内側の収容空間の外部に、ハーネスを保管するハーネス空間７が設けられており、前記ハーネス空間７内のハーネスが充電外接続部３に接続されており、前記配線収納部分の部位８内の配線が電源収容空間６内のモバイル電源に接続される。
【００２５】
スーツケースを持って旅行に行く前に、配線収納部分の部位８内の電源プラグを直接引き出し、電源に挿し込んで、電源収容空間６内のモバイル電源を充電することができる。旅行の際に携帯電話を充電する必要がある場合には、携帯電話を携帯電話収容空間５内に直接に置き入れて携帯電話を充電することができ、タブレットなどの電子製品を充電する場合には、充電外接続部３の接続口（例えば、USB接続口）を通じて充電することができる。電源変換プラグ室４は、各国家の電源変換プラグを保管するためのものであって、海外旅行に便利である。
【００２６】
図３に示すように、配線は前記配線収納部分の部位８内に巻かれており、配線収納部分の部位８に開口８ａがあり、開口の大きは配線のプラグに適合しており、配線は開口８ａから引き出されるとともに、電動復帰機構により自動で巻き入れられて復帰することができる。
【００２７】
図３、７に示すように、前記電源変換プラグ室４は、反転開閉式の構造である。
【００２８】
前記電源収容空間６内のモバイル電源は、取外し可能又は取外し不可能な形式である。
【００２９】
前記モバイル電源収容空間６と携帯電話収容空間５の間に仕切りが設けられる、又は、仕切りが設けられない。
【００３０】
前記携帯電話収容空間５の収容空間のドアは、ヒンジ反転式開閉構造又はスライド開閉式構造である。
【００３１】
当該考案の有益な効果は、スーツケースについて旅行で用いる電子製品の保管と充電の機能の一体化を提供するものである。構造の設計が、合理的で巧みであり、使用に便利である。レイアウトが合理的であり、スーツケースの美しい外形に影響を与えることがなく、抜かりなく考えられたものであり、優れた使用の経験を実現する。
【００３２】
以下では当該考案のベストの実施例をさらに説明する。具体的には、以下の内容である。
【００３３】
図１−８に示すように、当該考案は、充電装置付きのスーツケースを提供するものであり、充電装置は、スーツケース１の背面の中部に設けられるものであり、具体的には、二つのバー２の間に位置し、充電装置は、全体が長方形の構造であり、充電装置は、上から下の順に、ポータブル電子製品の充電のための充電外接続部３と、多国対応の電源変換プラグを保管する用の電源変換プラグ室４と、モバイル電源及び携帯電話の充電を保管するための主保管部と、電源プラグを保管する用の配線収納部分の部位８と、を含んでいる。当該考案が提供する充電装置付きのスーツケースは、旅行中に電子製品をいつでも充電できる機能を果たし、使用者に多くの便利を提供し、そして、当該考案は、バー２の間の狭い空間を十分に利用して充電装置を配置することで、レイアウトが合理的であり、且つスーツケースの外形に影響を与えない。
【００３４】
本実施例で、図１、２、３に示すように、モバイル電源及び携帯電話の充電を保管するための主保管部は、内側と外側の二層の収容空間に分けられており、内側の収容空間はモバイル電源収容空間６であり、その中にモバイル電源が設けられており、外側の収容空間は携帯電話収容空間５であり、携帯電話は携帯電話収容空間５の中に置いて充電される。モバイル電源収容空間５が携帯電話収容空間５の背面に設けられている。配線収納部分の部位８内の配線を電源収容空間６内のモバイル電源に接続することで、モバイル電源を充電する。
【００３５】
携帯電話を携帯電話収容空間５の中に置いて充電することについては、ワイヤレス充電であってもよく、又、有線充電であってもよく、ここで限定されるものではない。
【００３６】
本実施例では、モバイル電源収容空間６と携帯電話収容空間５の間が充電ハーネス９で接続されることで、携帯電話を携帯電話収容空間５内に置いた後に、モバイル電源は、充電ハーネス９により携帯電話の充電を実施できる。本実施例では、図３に示すように、モバイル電源収容空間６と携帯電話収容空間５の底部の間が充電ハーネスで接続される、即ち、充電ハーネス９は、モバイル電源収容空間６と携帯電話収容空間５の底部に設けられる。本実施例において、充電ハーネス９をモバイル電源収容空間６と携帯電話収容空間５の底部に配置することで、バー２の間の狭く長い空間を十分に利用するのに有利になる。
【００３７】
本実施例では、携帯電話収容空間５の背面に、ハーネスを保管するハーネス空間７が設けられ、且つハーネス空間７が充電外接続部３の背面に延ばされる。ハーネス空間７内のハーネス１０が、モバイル電源と充電外接続部３を接続するためのものであって、本実施例では、ハーネス空間７内のハーネス１０は、一方端が充電ハーネス９に接続されることでモバイル電源との接続が図られ、他方端が充電外接続部３に接続される。当然ではあるが、ほかの実施例として、ハーネス１０の一方端もモバイル電源に直接接続されてもよく、ここで限定されるものではない。当該考案は、携帯電話収容空間５の背面にハーネス空間７が設けられることで、ハーネスの合理的なレイアウトが図られる。
【００３８】
本実施例では、電源収容空間６内のモバイル電源は、取外し可能な形式であり、これによって、モバイル電源の分解、組み立って、交換が便利となる。ほかの実施例では、モバイル電源も取外し不可能な形式であってもよく、これも当該考案の保護を請求する範囲に属する。
【００３９】
本実施例では、モバイル電源収容空間６と携帯電話収容空間５の間に仕切りが設けられており、二つの独立的な空間が形成される。ほかの実施例では、モバイル電源収容空間６と携帯電話収容空間５の間に仕切りはなくてもよく、ここで限定されるものではない。
【００４０】
本実施例では、携帯電話収容空間５の外向きの一側には、さらに、収容空間のドア１１が設けられており、図５、７の示すように、収容空間のドア１１は、ヒンジ反転式開閉構造又はスライド開閉式構造などであって、ここで限定されるものではない。モバイル電源収容空間６の外向きの一側に、収容空間のドア１２が設けられており、図６、８の示すように、収容空間のドア１２の形式も、ここで限定されるものではない。
【００４１】
本実施例では、電源変換プラグ室４は、モバイル電源収容空間６と携帯電話収容空間５の上方に設けられており、電源変換プラグ室４は、各国家の電源変換プラグを保管するためであり、海外旅行に便利であって、適用の範囲を広くさせる。本実施例では、電源変換プラグ室４は、反転開閉式の構造であり、使用空間の減少に便利である。ほかの実施例では、電源変換プラグ室４も、引っ張りによる引き出しの式の構造であってもよく、ここで限定されるものではない。
【００４２】
本実施例では、充電外接続部３は、電源変換プラグ室４の上方に設けられており、充電外接続部３は、タブレットなどのほかの電子製品を充電するためのものであり、充電外接続部３に、例えばＵＳＢ接続口、プラグなどのいろいろな充電接続口が設けられ、ここで限定されるものではない。当該考案は、充電外接続部３の配置によって、いろいろな電子製品の充電に適応することができ、使用者に便利を与えている。
【００４３】
本実施例では、配線収納部分の部位８は、モバイル電源収容空間６と携帯電話収容空間５の下方に設けられており、配線が配線収納部分の部位８内に巻かれており、配線収納部分の部位８に開口８ａがあり、開口８ａの大きは配線のプラグに適合し、これによって、配線を、開口８ａから引き出し、外部の電源に接続して充電することができる。配線は、電動復帰機構により自動で巻き入れられて復帰するものであり、使用者による操作をより便利にする。
【００４４】
当業者にとって、本考案は、多くのほかの実施形態で実現できるが、本考案の精神または範囲から逸脱することないように、理解すべきである。本説明の実施の例示を説明するといっても、本考案がこれらの実施例に限定されないことを、理解すべきあり、当業者は、添付の請求の範囲に限定される本考案の精神および範囲のように、様々な変更と修正をすることができる。
【図１】
0003216624.tif 000003
【図２】
0003216624.tif 000004
【図３】
0003216624.tif 000005
【図４】
0003216624.tif 000006
【図５】
0003216624.tif 000007
【図６】
0003216624.tif 000008
【図７】
0003216624.tif 000009
【図８】
0003216624.tif 000010
【図９】
0003216624.tif 000011
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
スーツケースの背面の中部において、二つのバーの間の位置に充電装置が設けられ、
前記充電装置は、全体が長方形の構造であり、上から下の順に、ポータブル電子製品の充電用の充電外接続部（３）と、多国対応の電源変換プラグを保管する電源変換プラグ室（４）と、モバイル電源及び携帯電話を保管する主保管部と、電源プラグを保管する配線収納部分の部位（３）に分けられており、
モバイル電源及び携帯電話を保管する前記主保管部は、
内側と外側の二層の収容空間に分けられて、内側の収容空間がモバイル電源収容空間であり、外側の収容空間が携帯電話収容空間（５）であり、前記電源収容空間（６）と携帯電話収容空間（５）が充電ハーネスで接続されており、
前記内側の収容空間の外部に、ハーネスを保管するハーネス空間（７）が設けられており、
前記ハーネス空間（７）内のハーネスが充電外接続部（３）に接続されており、
前記配線収納部分の部位（８）内の配線が電源収容空間（６）内のモバイル電源に接続される、ことを特徴とする充電装置付きのスーツケース。
【請求項２】
配線は前記配線収納部分の部位（８）内に巻かれており、配線収納部分の部位（８）は開口（８ａ）を有し、開口の大きさは配線のプラグに適合し、配線は開口（８ａ）から引き出されるとともに、電動復帰機構により自動で巻き入れられて復帰することができる、ことを特徴とする請求項１に記載の充電装置付きのスーツケース。
【請求項３】
前記電源変換プラグ室（４）は、反転開閉式の構造である、ことを特徴とする請求項１に記載の充電装置付きのスーツケース。
【請求項４】
前記電源収容空間（６）内のモバイル電源は、取外し可能な形式である、ことを特徴とする請求項１に記載の充電装置付きのスーツケース。
【請求項５】
前記電源収容空間（６）内のモバイル電源は、取外し不可能な形式である、ことを特徴とする請求項１に記載の充電装置付きのスーツケース。
【請求項６】
前記モバイル電源収容空間（６）と携帯電話収容空間（５）の間に仕切りが設けられる、ことを特徴とする請求項１に記載の充電装置付きのスーツケース。
【請求項７】
前記モバイル電源収容空間（６）と携帯電話収容空間（５）の間に仕切りが設けられない、ことを特徴とする請求項１に記載の充電装置付きのスーツケース。
【請求項８】
前記携帯電話収容空間（５）の収容空間のドアは、ヒンジ反転式開閉構造である、ことを特徴とする請求項１に記載の充電装置付きのスーツケース。
【請求項９】
前記携帯電話収容空間（５）の収容空間のドアは、スライド開閉式構造である、ことを特徴とする請求項１に記載の充電装置付きのスーツケース。
【請求項１０】
充電装置付きのスーツケースであって、
前記スーツケースの背面の中部に前記充電装置が設けられ、且つ前記充電装置は二つのバーの間に位置し、前記充電装置は、全体が長方形の構造であり、
前記充電装置は、上から下の順にポータブル電子製品の充電のための充電外接続部（３）と、多国対応の電源変換プラグを保管する電源変換プラグ室（４）と、モバイル電源及び携帯電話を保管する主保管部と、電源プラグを保管する配線収納部分の部位（８）を含み、
モバイル電源及び携帯電話を保管する前記主保管部は、内側と外側の二層の収容空間に分けられており、内側の収容空間がモバイル電源収容空間であり、外側の収容空間が携帯電話収容空間（５）であり、前記モバイル電源収容空間が前記携帯電話収容空間の背面に設けられ、前記電源収容空間の底部と前記携帯電話収容空間の底部の間が充電ハーネスで接続されており、
前記モバイル電源収容空間の背面に、ハーネスを保管するハーネス空間（７）が設けられ、且つ前記ハーネス空間（７）が前記充電外接続部（３）の背面に延ばされており、前記ハーネス空間（７）内のハーネスが、前記モバイル電源と充電外接続部（３）が接続され、前記配線収納部分の部位（８）内の配線が電源収容空間（６）内のモバイル電源に接続される、ことを特徴とする充電装置付きのスーツケース。
【請求項１１】
前記ハーネス空間（７）内のハーネスは、一方端が前記充電ハーネスに接続されて、他方端が充電外接続部（３）に接続される、ことを特徴とする請求項１０に記載の充電装置付きのスーツケース。